(57)【特許請求の範囲】
【請求項１】
データ伝送システムの障害情報を収集して障害原因を解析する障害情報収集解析システムに於いて、
受信データを保存する１次保存用メモリと、
該１次保存用メモリに保存された前記受信データを圧縮処理して保存する２次保存用メモリと、
障害発生情報に従った制御により前記２次保存用メモリに保存されたデータを基に前記受信データを復元するデータ復元部と、
該データ復元部により復元された受信データを基に障害解析処理を行う試験制御部と
を備え、
１次保存用メモリに保存された受信データを、期待値データと比較して一致又は近似した内容の期待値データに変換圧縮して前記２次保存用メモリに保存する構成を備えるとともに、
前記データ伝送システムを構成する伝送ユニットの単一又は複数の内部処理部対応の処理出力データをモニタし、該処理出力データと前処理出力データとの比較差分値を求めて保存する構成とを備えたことを特徴とする障害情報収集解析システム。
【請求項２】
前記データ復元部は、前記２次保存用メモリに保存されたデータを、該データの保存時に参照した前記期待値データを基に前記受信データを復元処理する構成を備えたことを特徴とする請求項１に記載の障害情報収集解析システム。
【請求項３】
データ伝送システムの障害情報を収集して障害原因を解析する障害情報収集解析システムに於いて、
複数の伝送網対応の複数の伝送ユニットと、該複数の伝送ユニットに対して共用化した制御系ユニットとを備え、
前記複数の伝送ユニットは、受信データを保存する１次保存用メモリと、期待値データを格納した期待値データ部と、前記１次保存用メモリに保存した受信データと前記期待値データ部からの期待値データとを比較して圧縮したデータを前記制御系ユニットに転送する比較部と、前記制御系ユニットからの制御に従って監視制御を行う試験制御部とを含む構成を備え、
前記制御系ユニットは、前記複数の伝送ユニットに於ける前記期待値データを基に圧縮したデータを受信して保存する２次保存用メモリと、前記期待値データを基に前記受信データを復元する復元処理部と、該復元処理部により復元した受信データを、障害発生通知を送出した伝送ユニットに対する受信データとして障害解析処理を実行させる制御部とを備えた
ことを特徴とする障害情報収集解析システム。
【発明の詳細な説明】
【技術分野】
【０００１】
本発明は、各種のデータ伝送システムに於ける障害発生の検出と障害原因の解析とを効率良く且つ迅速に実行可能とした障害情報収集解析システムに関する。
【背景技術】
【０００２】
各種のデータをパケット構成やフレーム構成によって伝送するシステムが一般的であり、更に多重化して大容量且つ高速で伝送するシステムも運用されている。このようなデータ伝送システムに於けるデータの送受信装置は、伝送誤りを検出して、誤り訂正や再送処理等の手段により、正しいデータの送受信を行うことが必要であり、その為の各種の構成及び方法が提案されている。図６は、従来例の伝送システムの要部説明図であり、１０１は伝送ユニット、１０２は監視端末、１０３は伝送網（例えば、ＩＰ網）、１１１は送受信部（ＰＨＹ）、１１２は受信処理部、１１３は送信処理部、１１４は内部処理部、１１５は警報監視部、１１６は主信号データ監視部、１１７は制御部（ＣＰＵ）を示す。伝送網１０３は、伝送ユニット１０１と図示を省略した他の伝送ユニットとの間のデータを伝送するものである。なお、伝送ユニット１０１及び伝送網１０３は、伝送データの種別や、フレーム構成、パケット構成、多重化構成等のデータ伝送形式に対応して各種の構成が適用されている。
【０００３】
又前述の図６に示す伝送ユニット１０１は、主として監視機能について示すもので、プロセッサＣＰＵを含む制御部１１７は、監視端末１０２からの例えば装置設定の制御情報に応じて伝送ユニット１０１内の各部の設定制御を行うと共に、収集した警報情報等を監視端末１０２へ転送する。又送受信部１１１は、伝送網１０３の構成に対応してデータの送受信処理を行う構成を有するもので、受信処理部１１２は、送受信部（ＰＨＹ）１１１により受信したデータを内部処理部１１４と主信号データ監視部１１６とに転送し、内部処理部１１４により処理した受信データを、図示を省略した送受信端末や他の伝送ユニットへ転送する。又内部処理部１１４により処理した送信データを送信処理部１１３へ転送し、送信フォーマットに従った処理を行い、送受信部１１１から伝送網１０３を介して、図示を省略した送信先の伝送ユニットに送信する。制御部１１７は、警報監視部１１５と主信号データ監視部１１６とによる監視情報を収集し、監視端末１０２に対して警報通知等の制御処理を行う。又主信号データ監視部１１６は、受信処理部１１２により受信処理した主信号の正常性のチェックを行い、異常検出の場合は、警報監視部１１５へ通知し、警報監視部１１５による警報内容の詳細検討処理を行って、処理結果を制御部１１７へ通知することも可能の制御構成を有するものである。
【０００４】
又受信したデータ等を保存しておいて、障害発生を検出した時に、その原因を究明する為に、過去からの受信状態をチェックする各種の手段が提案されている。図７は、受信データを保存して、障害発生時の原因解明を行う手段を含む従来例の伝送ユニットの要部説明図であり、２０１は伝送ユニット、２０２は監視端末、２０３は伝送網（例えば、ＩＰ網）、２１１は送受信部（ＰＨＹ）、２１２は受信処理部、２１３は送信処理部、２１４は内部処理部、２１５は警報監視部、２１６は主信号データ監視部、２１７は制御部（ＣＰＵ）、２１８はデータ格納部、２１９はデータ保存用メモリを示す。伝送ユニット２０１と監視端末２０２と伝送網２０３とは、図６に示す伝送ユニット１０１と監視端末１０２と伝送網１０３とに対応した構成ではあるが、伝送ユニット２０１にデータ保存用メモリ２１９を有するデータ格納部２１８を設けて、送受信部２１１による受信データ及び主信号データ監視部２１６により監視する主信号データとを、データ格納部２１８のデータ保存用メモリ２１９に保存し、障害発生原因解析時に、データ保存用メモリ２１９に保存したデータを、送受信部２１１から受信処理部２１２及び内部処理部２１４に入力して処理することにより、障害発生の再現処理等によって、原因究明を図るものである。
【０００５】
又送受信データをメモリに記憶させ、そのメモリの記憶容量を超える状態の場合は、記憶されている古いデータを破棄して、新たなデータの追加記憶を可能とし、又障害発生情報により、新たなデータの記憶保持を一時停止し、その障害発生直前までの記憶保持していたデータを送受信データ履歴情報として、障害発生原因解明の一助とする管理システムが提案されている（例えば、特許文献１参照）。又移動無線通信システムに於ける基地局の障害情報を収集して、障害原因を究明する為の障害情報収集手段が提案されており、その障害情報収集手段は、障害情報の記録と、履歴情報に変換しての記録と、有効か否かを判定して有効障害情報の記録とを含む各種の記録手段を含み、又記録用のメモリの容量不足となった時に於ける高優先度障害情報は、予め確保した空きメモリ領域に記憶させる等の制御手段を備えて、メモリ容量を極端に増加することなく障害情報の増加にも対処可能とすることが提案されている（例えば、特許文献２参照）。
【先行技術文献】
【特許文献】
【０００６】
【特許文献１】特開２０００−２２４１８４号公報
【特許文献２】特開２００４−１２００７２号公報
【発明の概要】
【発明が解決しようとする課題】
【０００７】
各種のデータ伝送システムに於いては、前述のように、障害発生を検出した時に、その原因を究明して、迅速に正常状態に修復させ、且つ障害による誤りデータの訂正処理を行って、信頼性の高い伝送システムを運用することが要望されるものであり、伝送路断等の障害発生時は、受信断検出により直ちに検出可能であるが、伝送データのフォーマットやデータの誤りを含む障害発生についても、迅速に検出して、正常状態に復帰させることがデータ伝送の信頼性向上の為に必要である。従って、前述のような各種の手段が提案されている。通常は、伝送路を介して受信したデータや、自動訂正処理等の処理情報を保存しておくことにより、障害発生検出時に、保存情報の中の所定期間遡った時点からのデータや処理情報を基に、障害発生の原因を調べる場合が一般的である。そのような場合の受信保存するデータ量は、高速且つ大容量伝送システムに於いては特に膨大なものとなり、メモリ容量や経済的な点から、保存する期間が制限される場合が一般的である。又メモリ容量削減を図る手段としては、前述の特許文献１，２等により提案されているが、迅速且つ正確な障害発生原因究明の為には充分ではない問題があった。
【０００８】
本発明は、前述の従来例の問題点を解決することを目的とし、メモリ容量を極端に増大することなく、障害発生原因究明の為の所望の期間の受信した各種データを保存可能として、迅速且つ正確な原因究明を可能とするものである。
【課題を解決するための手段】
【０００９】
本発明の障害情報収集解析システムは、データ伝送システムの障害情報を収集して障害原因を解析する障害情報収集解析システムであって、受信データを保存する１次保存用メモリと、該１次保存用メモリに保存された前記受信データを圧縮処理して保存する２次保存用メモリと、障害発生情報に従った制御により前記２次保存用メモリに保存されたデータを基に前記受信データを復元するデータ復元部と、該データ復元部により復元された受信データを基に障害解析処理を行う試験制御部とを備え、１次保存用メモリに保存された受信データを、期待値データと比較して一致又は近似した内容の期待値データに変換圧縮して前記２次保存用メモリに保存する構成を備えるとともに、前記データ伝送システムを構成する伝送ユニットの単一又は複数の内部処理部対応の処理出力データをモニタし、該処理出力データと前処理出力データとの比較差分値を求めて保存する構成とを備えている。
【００１１】
又前記データ復元部は、前記２次保存用メモリに保存されたデータを、該データの保存時に参照した前記期待値データを基に前記受信データを復元処理する構成を備えることができる。
【００１３】
又データ伝送システムの障害情報を収集して障害原因を解析する障害情報収集解析システムに於いて、複数の伝送網対応の複数の伝送ユニットと、該複数の伝送ユニットに対して共用化した制御系ユニットとを備え、前記複数の伝送ユニットは、受信データを保存する１次保存用メモリと、期待値データを格納した期待値データ部と、前記１次保存用メモリに保存した受信データと前記期待値データ部からの期待値データとを比較して圧縮したデータを前記制御系ユニットに転送する比較部と、前記制御系ユニットからの制御に従って監視制御を行う試験制御部とを含む構成を備え、前記制御系ユニットは、前記複数の伝送ユニットに於ける前記期待値データを基に圧縮したデータを受信して保存する２次保存用メモリと、前記期待値データを基に前記受信データを復元する復元処理部と、該復元処理部により復元した受信データを、障害発生通知を送出した伝送ユニットに対する受信データとして障害解析処理を実行させる制御部とを備えている。
【発明の効果】
【００１４】
１次保存用メモリと２次保存用メモリとを含み、その１次保存用メモリは、少なくとも２次保存用メモリに保存する為の圧縮処理に要する期間の受信した各種データの保存を保証できる記憶容量で済み、又２次保存用メモリは、１次保存用メモリに保存したデータを圧縮処理して記憶することにより、少ない記憶容量で済むことが可能となり、比較的長期間のデータ受信処理についての主信号データを含む各種の受信データに関連する情報を記憶可能とすることでき、特に期待値データとの比較変換により、保存に要するメモリ容量を大幅に削減可能となる利点がある。又伝送ユニットに於ける内部処理ブロック対応に於いても、少ない記憶容量で比較的長期間の処理出力データについて情報を保存可能となり、従って、障害解析時には、比較的長期間にわたる処理出力データを復元して、解析処理を実行することができるから、有効な障害解析が可能となる。
【図面の簡単な説明】
【００１５】
【図１】本発明の実施例１の要部構成説明図である。
【図２】本発明の実施例１の説明図である。
【図３】ＭＡＣフレームの説明図である。
【図４】本発明の実施例１の期待値の説明図である。
【図５】本発明の実施例２の説明図である。
【図６】従来例の要部説明図である。
【図７】他の従来例の要部説明図である。
【発明を実施するための形態】
【００１６】
本発明の障害情報収集解析システムは、図１を参照すると、データ伝送システムの障害情報を収集して障害原因を解析する障害情報収集解析システムであって、受信データを保存する１次保存用メモリ１８と、この１次保存用メモリ１８に保存された前記受信データを圧縮処理して保存する２次保存用メモリ１４と、障害発生情報に従った制御により前記２次保存用メモリ１４に保存されたデータを基に前記受信データを復元するデータ復元部３と、このデータ復元部３により復元された受信データを基に障害解析処理を行う試験制御部２とを備えている。
【実施例１】
【００１７】
図１は、本発明の実施例１の要部構成説明図であり、１は制御部、２は試験制御部、３はデータ復元部、４はデータ格納部、５は検出部、６はデータ比較部、１１は試験データ作成部、１２は試験部、１３は復元処理部、１４は２次保存用メモリ、１５は比較部、１６は期待値データ部、１７は圧縮部、１８は１次保存用メモリ、１９は主信号データ監視部、２０は警報監視部、２１は処理データ部（各回路での処理データ）、２２は比較部、２３は前データ保持部を示し、データ伝送システムに於ける伝送ユニット等の障害情報収集解析システムの要部機能ブロックを示す。制御部１は、プロセッサＣＰＵを含む構成を有し、各部の状態を監視し、且つ各部を制御する機能を有するものであり、又図示を省略している監視端末との間で警報や障害発生原因の情報の通知等の機能も含むものである。又検出部５は、伝送された主信号データの正常性等の監視を行う主信号データ監視部１９と各部の警報等についても監視する警報監視部２０とを含むものである。
【００１８】
又データ比較部６は、処理データ部２１により、データ伝送システムの伝送ユニット等のデータ送受信処理機能を有するシステム内の各回路部に於ける処理データを収集し、前データ保持部２３に保持すると共に、この前データ保持部２３に保持された前回のデータと今回のデータとを比較部２２に於いて比較する機能を含み、比較結果をデータ格納部４へ転送する。このデータ格納部４は、１次保存用メモリ１８と２次保存用メモリ１４と比較部１５と期待値データ部１６と圧縮部１７とを含む構成を有し、受信したヘッダ部等と主信号データとを含む入力データを、順次所定時間、１次保存用メモリ１８に保存し、この１次保存用メモリ１８から順次読出した入力データと、期待値データ部１６からの期待値データとを比較部１５により比較し、比較結果に応じたデータに圧縮処理して、２次保存用メモリ１４に順次保存する。又データ復元部３は、制御部１からの制御に従って、データ格納部４の２次保存用メモリ１４に保存されたデータと、期待値データ部１６からの期待値データとを基に、データを復元処理して、試験制御部２の試験データ作成部１１へ転送し、作成した試験データを基に、制御部１からの制御によって、試験部１２による試験対象部に対する試験を行い、その試験結果を制御部１へ転送する。
【００１９】
又データ格納部４は、主信号データ（ヘッダ等を含む入力データ）を所定期間、継続的に順次格納する１次保存用メモリ１８と、比較部１５又は圧縮部１７により圧縮処理したデータを保存する２次保存用メモリ１４とを備え、且つ比較部１５に於いて比較処理する為の期待値を格納した期待値テーブル１６とを備えている。そして、障害発生時や警報監視部（図示せず）からの制御によって、２次保存用メモリ１４から、障害発生の前後の所定期間のデータをデータ復元部３の復元処理部１３へ転送し、同時に期待値データ部１６から圧縮処理に用いた期待値データを復元処理部１３へ転送し、データを復元処理し、復元したデータを試験制御部２へ転送する。なお、圧縮部１７により圧縮処理されて２次保存用メモリ１４に格納されていたデータについては、圧縮処理の逆処理により、元のデータに復元されることになる。又伝送ユニットの内部処理部（図示せず）対応に、データ比較部６を設けて、処理データについて圧縮処理し、データ格納部４へ転送して、２次保存用メモリ１４に保存する構成とすることも可能である。
【００２０】
図２は、本発明の実施例１の説明図であり、６１は伝送ユニット、６２は監視端末を示し、伝送網及び他の伝送ユニットや送受信端末装置等は図示を省略している。又３１は監視端末６２と接続して内部の各部分を管理且つ制御する制御部（ＣＰＵ）、３２は試験制御部、３３はデータ復元部、３４はデータ格納部、３５は主信号データ監視部、３６は警報監視部、３７は内部処理部、３８は試験制御部、３９は送受信部（ＰＨＹ）、４０は受信処理部、４１は送信処理部を示す。又４２は試験データ作成部、４３は復元処理部、４４は１次保存用メモリ、４５は２次保存用メモリ、４６は比較部、４７は期待値データ部、４８は圧縮部、４９は試験部、５０，５１はデータ比較部、５２，５５は処理データ部、５３，５６は比較部、５４，５７は前データ保存部を示す。なお、伝送ユニット６１に於ける内部処理部３７は、同一又は異なる処理機能を有する構成を複数設け、それぞれに障害解析の為のデータ比較部を設け、それぞれのデータ比較部によるデータ比較結果を、各データ比較部を識別可能とする符号等を付加して、データ格納部３４へ転送することにより、保存する構成とすることも可能である。それによって、内部処理部対応に障害解析処理が可能となる。なお、複数の内部処理部を設けた場合に、各内部処理部対応のデータ比較部によるデータ比較結果を所定期間保持するメモリを設けることも可能である。
【００２１】
試験制御部３２は、図１の試験制御部２に相当する機能を有し、データ復元部３３は図１のデータ復元部３と同様のデータ復元処理機能を有する復元処理部４３を備えている。又データ格納部３４の１次保存用メモリ４４には、送受信部３９により受信処理したヘッダ等を含む受信データを転送して保持する。又試験制御部３８の試験部４９は、制御部３１の制御により試験を行う場合、試験制御部３２の試験データ作成部４２に於いて作成した障害発生検出時点のヘッダ等を含む受信データを基に作成した試験データを受信処理部４０へ入力して受信処理を行わせ、その処理結果を、主信号データ監視部３５を介して制御部３１へ転送して、制御部３１の制御に従って監視端末６２へ警報通知等を行う。又監視端末６２からの装置設定等の制御情報を受信した制御部３１は、その制御情報を基に、伝送ユニット６１内の制御や設定等を行う。又内部処理部３７は、データ比較部５０，５１と共に、図示を省略した送受信データの処理部を含み、伝送ユニット６１内の図示を省略している処理回路等と共に、図示を省略した端末装置等との間のデータ転送制御手段を含む構成を有し、前述のように、伝送ユニット６１として、送受信データを処理する為の複数の内部処理部３７を含む構成とすることができる。
【００２２】
図３は、ＭＡＣフレームの説明図であり、データ伝送システムに於けるデータ伝送のフォーマットの一例のＭＡＣ（Ｍｅｄｉａ  Ａｃｃｅｓｓ  Ｃｏｎｔｒｏｌ）フレーム構成を示し、このＭＡＣフレームは、先頭から、７オクテット構成のプリアンブル（ＰＲＥＡＭＢＬＥ）、１オクテット構成のＳＦＤ（Ｓｔａｒｔ  ｏｆ  Ｆｒａｍｅ  Ｄｅｌｉｍｉｔｅｒ）、６オクテッド構成の送信先アドレス（ＤＥＳＴＩＮＡＴＩＯＮ  ＡＤＤＲＥＳＳ；ＤＡ）、６オクテッド構成の送信元アドレス（ＳＯＵＲＣＥ  ＡＤＤＲＥＳＳ；ＳＡ）、２オクテッド構成のフレーム長／タイプ（ＬＥＮＧＴＨ／ＴＹＰＥ）、ＰＡＤ（Ｐａｄｉｎｇ  ｂｉｔ）を含む４６〜１５００オクテッドのデータ（ＭＡＣ  ＣＬＩＥＮＴ  ＤＡＴＡ）、４オクテッドのフレームチェックシーケンス（ＦＲＡＮＥ  ＣＨＥＣＫ  ＳＥＱＵＥＮＣＥ；ＦＣＳ）を含む構成を有するもので、更に、拡張部（ＥＸＴＥＮＳＩＯＮ）を含む場合もある。このＭＡＣフレーム構成によりデータ伝送する場合のデータ格納部（図１の４及び図２の３４参照）の処理について、期待値データ部（図１の１６及び図２の４７参照）の処理について、図４を参照して説明する。
【００２３】
前述の期待値の説明図としての図４に於いて、ＭＡＣフレームの先頭の７オクテットのプリアンブルと１オクテットのＳＦＤ（Ｓｔａｒｔ  ｏｆ  Ｆｒａｍｅ  Ｄｅｌｉｍｉｔｅｒ）とについて、期待値として、Ｃａｓｅ−１〜Ｃａｓｅ−４を定め、例えば、正常の場合をＣａｓｅ−１、正常値に対する反転値の場合をＣａｓｅ−２、受信フレームの一発目と同一内容の場合をＣａｓｅ−３、前フレームと同一の場合をＣａｓｅ−４とし、又送信先アドレスＤＡについては、Ｃａｓｅ−１〜Ｃａｃｅ−３を定め、受信フレームの一発目は記録するＣａｓｅ−１、それ以後について同一の場合をＣａｓｅ−２とする。同様に、送信元アドレスＳＡについても、Ｃａｓｅ−１〜Ｃａｓｅ−３を定める。又フレーム長／タイプ（ＬＥＮＧＴＨ／ＴＹＰＥ）については、Ｃａｓｅ−１〜Ｃａｓｅ−６とした場合を示す。又ＩＦＧ（Ｉｎｔｅｒ  Ｆｒａｍｅ  Ｇａｐ）は、ＭＡＣフレームを伝送する場合のフレーム間ギャップを示し、このフレーム間ギャップについてもＩＦＧ期待値として、規定時間内のＣａｓｅ−１、規定時間外のＣａｓｅ−２、前パケットと同じ場合のＣａｓｅ−３とを設定する。
【００２４】
又１次保存用メモリ１８，４４（図１及び図２参照）に保持された図３に示すＭＡＣフレームの４６〜１５００オクテッドのデータは、圧縮部１７，４８（図１，図２参照、以下同様に、図１，図２を参照して説明する）により圧縮処理し、その圧縮データと、比較部１５，４６に於いて比較処理した期待値データとを２次保存用メモリ１４，４５に順次記憶させる。この場合、例えば、７オクテットのプリアンブルと１オクテットのＳＦＤとをＣａｓｅ−１〜Ｃａｓｅ−４を示す為の２オクテット構成に圧縮し、６オクテッドの送信先アドレスと送信元アドレスとをそれぞれＣａｓｅ−１〜Ｃａｓｅ−３の３種類として、１発目とその後に同一アドレスが継続するか否かを示す情報に圧縮し、２オクテットのフレーム長／タイプを、２オクテット構成に圧縮し、又４オクテット構成のＦＣＳの期待値を、正常の場合とエラー発生の場合との１オクテットに圧縮することも可能である。なお、それぞれの圧縮値は、６オクテット単位とすることも可能である。即ち、２次保存用メモリ１４，４５に保存する受信データについて、データ部は圧縮部１７，４８により圧縮し、ヘッダ等については、期待値データを基に圧縮処理して、２次保存用メモリ１４，４５に保存することが可能となり、比較的少ない記憶容量でも長期間に亘るデータを保存することが可能となる。
【００２５】
又制御部１，３１により試験制御部２，３２を起動して試験を行う場合、試験制御部２，３２、データ復元部３，３３、データ格納部４，３４をそれぞれ制御し、データ格納部４，３４の２次保存用メモリ１４，４５に保存した圧縮データと期待値データとを基にデータ復元部３，３３の復元処理部１３，４３によりデータを復元し、試験制御部２，３２の試験データ作成部１１，４２へ転送し、受信データを復元した試験用データを作成し、その試験用データを、試験制御部３８の試験部４９へ転送し、その試験用データを受信処理部４０に入力することにより、障害再現試験を行うことができる。なお、他のログ情報も同時に利用することも可能である。又警報監視部３６等からの制御によって、内部処理部３７に於ける異常発生時に、データ格納部３４、データ復元部３３、試験制御部３２及び制御部３１の処理機能によって、復元したデータを基に異常発生原因を探索することが可能となる。
【実施例２】
【００２６】
図５は、本発明の実施例２の説明図であり、制御系ユニット７０と複数の伝送ユニット７１−１，７１−２，・・・と、監視端末７２とを含み、伝送ユニット７１−１，７１−２，・・・は、伝送網９２−１，９２−２，・・・対応に設けた場合の要部のシステム構成を示し、７３はデータ格納・復元部、７４は制御部、７５は復元処理部、７６は期待値データ部、７７は２次保存用メモリ、７８は試験データ作成部、７９は伝送ユニット７１−１，７１−２，・・・対応の制御部、８０はデータ格納部、８１は主信号データ監視部、８２は警報監視部、８３は内部処理部、８４は送受信部（ＰＨＹ）、８５は試験制御部、８６は受信処理部、８７は送信処理部、８８は試験部、８９は比較部、９０は期待値データ部、９１は１次保存用メモリを示す。複数の伝送網９２−１，９２−２，・・・対応の伝送ユニット７１−１，７１−２，・・・に対して、制御系ユニット７０及び監視端末７２を共用化したシステム構成とし、データ格納・復元部７３の２次保存用メモリ７７は、複数の伝送ユニット７１−１，７１−２，・・・対応に設ける構成に比較して、経済化を図ることが可能となる。又伝送ユニット７１−１，７１−２，・・・に於ける内部処理部８３は、複数の内部処理ブロックとして構成し、それぞれに、図２に示すデータ比較部５０，５１を設けた構成とすることも可能であり、その場合は、データ比較部に対応したデータ格納・復元部７３の構成とすることができる。
【００２７】
又前述の各実施例は、ＭＡＣフレームによるデータ伝送システムの場合を示すが、他のフレーム伝送システムや、ＳＤＨ／ＳＯＮＥＴ等の同期多重化伝送システムについても適用可能であり、図４に示す期待値としては、それぞれの伝送フォーマットのヘッダ構成等を基に設定することが可能である。例えば、同期多重化伝送システムに於けるオーバーヘッドについては、例えば、フレーム同期パターンＡ１，Ａ２、誤り監視用バイトＢ１、オーダワイヤ用バイトＥ１、ユーザチャネルバイトＦ１等があり、それぞれ期待値データを設定して、その期待値データとの比較結果を保存することも可能であり、長期間に亘り保存する各種データを、圧縮処理した状態とすることにより、メモリ容量を格段に大きくすることなく、受信状態の正常性を確認可能とすると共に、障害原因探索の為に保存するデータを長期間に亘り保存して、障害探索処理に寄与することができる。
【符号の説明】
【００２８】
１  制御部
２  試験制御部
３  データ復元部
４  データ格納部
５  検出部
６  データ比較部
１１  試験データ作成部
１２  試験部
１３  復元処理部
１４  ２次保存用メモリ
１５  比較部
１６  期待値データ部
１７  圧縮部
１８  １次保存用メモリ
１９  主信号データ監視部
２０  警報監視部
２１  処理データ部
２２  比較部
２３  前データ保持部
【図１】
0005710525.tif 000002
【図２】
0005710525.tif 000003
【図３】
0005710525.tif 000004
【図４】
0005710525.tif 000005
【図５】
0005710525.tif 000006
【図６】
0005710525.tif 000007
【図７】
0005710525.tif 000008